(57)【要約】【課題】本発明は、極めて商品価値の高い画期的なヒンジ装置並びにヒンジ装置を用いた電子機器を提供することを目的とするものである。【解決手段】第一部材１と第二部材２とを開閉回動自在に枢着するヒンジ装置であって、第一部材１に対して重合閉塞状態の第二部材２を開放させた際、重合閉塞位置Ｐ１から開放方向に回動させた所定開放角度位置Ｐ２までの回動域Ａ１においては、第一部材１に対して第二部材２を重合閉塞位置Ｐ１まで自動閉塞させる閉塞回動付勢作用が生じるように構成され、第一部材１に対して第二部材２を前記所定開放角度位置Ｐ２よりも開放方向に手動で回動させた際、第一部材１に対して第二部材２を所定開放角度位置Ｐ３まで自動開放させる開放回動付勢作用が生じるように構成されたものである。【選択図】        図１
2004232791.tif 000002
【特許請求の範囲】
【請求項１】
第一部材と第二部材とを開閉回動自在に枢着するヒンジ装置であって、第一部材に対して重合閉塞状態の第二部材を開放させた際、重合閉塞位置Ｐ１から開放方向に回動させた所定開放角度位置Ｐ２までの回動域Ａ１においては、第一部材に対して第二部材を重合閉塞位置Ｐ１まで自動閉塞させる閉塞回動付勢作用が生じるように構成され、第一部材に対して第二部材を前記所定開放角度位置Ｐ２よりも開放方向に手動で回動させた際、第一部材に対して第二部材を所定開放角度位置Ｐ３まで自動開放させる開放回動付勢作用が生じるように構成されていることを特徴とするヒンジ装置。
【請求項２】
第一部材と第二部材とを開閉回動自在に枢着するヒンジ装置であって、第一部材に対して重合閉塞状態の第二部材を開放させた際、重合閉塞位置Ｐ１から開放方向に回動させた所定開放角度位置Ｐ２までの回動域Ａ１においては、第一部材に対して第二部材を重合閉塞位置Ｐ１まで自動閉塞させる閉塞回動付勢作用が生じるように構成され、第一部材に対して第二部材を前記所定開放角度位置Ｐ２よりも開放方向に手動で回動させた際、第一部材に対して第二部材を所定開放角度位置Ｐ３まで自動開放させる開放回動付勢作用が生じるように構成され、この第一部材に対して第二部材を開放させた位置から閉塞方向に回動させた前記所定開放角度位置Ｐ２までの回動域Ａ２においては、第一部材に対して第二部材を任意の開放角度位置で保持するフリーストップ作用が生じるように構成されていることを特徴とするヒンジ装置。
【請求項３】
第一部材と第二部材とを開閉回動自在に枢着するヒンジ装置であって、第一部材に回り止め状態に連結される第一連結体と、この第一連結体に相対回動自在に連結され、第二部材に回り止め状態に連結される第二連結体とから成り、前記第一部材に対して重合閉塞状態の第二部材を開放させた際、重合閉塞位置Ｐ１から開放方向に回動させた所定開放角度位置Ｐ２までの回動域Ａ１においては、第一部材に対して第二部材を重合閉塞位置Ｐ１まで自動閉塞させる閉塞回動付勢作用が生じる閉塞構造部を設けるとともに、前記第一部材に対して第二部材を前記所定開放角度位置Ｐ２よりも開放方向に手動で回動させた際、前記閉塞構造部を回動方向に付勢することで、第一部材に対して第二部材を所定開放角度位置Ｐ３まで自動開放させる開放回動付勢作用が生じる開放構造部を設け、前記閉塞構造部に係脱自在に係止して前記開放構造部による閉塞構造部の開放方向への回動を阻止する回動阻止構造部を設け、この閉塞構造部に対する回動阻止構造部の係止力は、前記開放構造部の開放回動付勢力によっては閉塞構造部から回動阻止構造部は係脱せず、前記第一部材に対して第二部材を前記閉塞構造部による閉塞回動付勢力に抗して前記所定開放角度位置Ｐ２よりも開放方向に手動で回動させた際、閉塞構造部から回動阻止構造部が係脱し得る係止力に構成されていることを特徴とするヒンジ装置。
【請求項４】
第一部材と第二部材とを開閉回動自在に枢着するヒンジ装置であって、第一部材に回り止め状態に連結される第一連結体と、この第一連結体に相対回動自在に連結され、第二部材に回り止め状態に連結される第二連結体とから成り、前記第一部材に対して重合閉塞状態の第二部材を開放させた際、重合閉塞位置Ｐ１から開放方向に回動させた所定開放角度位置Ｐ２までの回動域Ａ１においては、第一部材に対して第二部材を重合閉塞位置Ｐ１まで自動閉塞させる閉塞回動付勢作用が生じる閉塞構造部を設けるとともに、前記第一部材に対して第二部材を前記所定開放角度位置Ｐ２よりも開放方向に手動で回動させた際、前記閉塞構造部を回動方向に付勢することで、第一部材に対して第二部材を所定開放角度位置Ｐ３まで自動開放させる開放回動付勢作用が生じる開放構造部を設け、前記閉塞構造部に係脱自在に係止し得る係止体を前記第一連結体，第二連結体のいずれか一方に回り止め状態に設けて、この係止体が閉塞構造部に係止した状態では、前記開放構造部による閉塞構造部の回動が阻止されるように構成するとともに、この係止体が閉塞構造部から係脱した際、開放構造部により閉塞構造部の回動が許容されるように構成し、この閉塞構造部に対する係止体の係止力は、前記開放構造部の付勢力によっては閉塞構造部から係止体は係脱せず、前記第一部材に対して第二部材を前記閉塞構造部による閉塞回動付勢力に抗して前記所定開放角度位置Ｐ２よりも開放方向に手動で回動させた際、閉塞構造部から係止体が係脱し得る係止力に構成されていることを特徴とするヒンジ装置。
【請求項５】
前記係止体を嵌挿係止し得る係止凹部を前記閉塞構造部に設け、この係止凹部に嵌挿する係止体の嵌挿部にテーパー面を形成することで、この係止凹部に対する係止体の係止力は、第一部材に対して第二部材を前記閉塞構造部による閉塞回動付勢力に抗して前記所定開放角度位置Ｐ２よりも開放方向に手動で回動させた際、閉塞構造部から係止体が係脱し得る係止力に構成されていることを特徴とする請求項４記載のヒンジ装置。
【請求項６】
第一部材と第二部材とを開閉回動自在に枢着するヒンジ装置であって、第一部材に回り止め状態に連結される第一連結体と、この第一連結体に相対回動自在に連結され、第二部材に回り止め状態に連結される第二連結体とから成り、この第一連結体，第二連結体のいずれか一方にカム部を設け、他方にこのカム部に係合する係合カム部を設け、このカム部，係合カム部の少なくとも一方を係合離反方向にスライド移動自在に設けると共に、このカム部，係合カム部の少なくとも一方を係合方向に付勢する係合付勢体を備えて、第一部材に対して重合閉塞状態の第二部材を開放させた際、重合閉塞位置Ｐ１から開放方向に回動させた所定開放角度位置Ｐ２までの回動域Ａ１においては、前記係合付勢体に付勢されてカム部と係合カム部とが落ち込み係合しようとすることで、第一部材に対して第二部材を重合閉塞位置Ｐ１まで自動閉塞させる閉塞回動付勢作用が生じるように構成するとともに、カム部，係合カム部の少なくとも一方を回動方向に付勢する回動付勢体を備えて、第一部材に対して第二部材を前記所定開放角度位置Ｐ２よりも開放方向に手動で回動させた際、前記回動付勢体に付勢されてカム部と係合カム部とが係脱せずに係合状態のまま共同回動することで、第一部材に対して第二部材を所定開放角度位置Ｐ３まで自動開放させる開放回動付勢作用が生じるように構成されており、前記カム部若しくは係合カム部に係脱自在に係止し得る係止体を前記第一連結体，第二連結体のいずれか一方に回り止め状態に設けて、この係止体がカム部若しくは係合カム部に係止した状態では、前記回動付勢体によるカム部と係合カム部との共同回動が阻止されるように構成するとともに、この係止体がカム部若しくは係合カム部から係脱した際、回動付勢体によるカム部と係合カム部との共同回動が許容されるように構成し、このカム部若しくは係合カム部に対する係止体の係止力は、前記回動付勢体の付勢力によってはカム部若しくは係合カム部から係止体は係脱せず、前記第一部材に対して第二部材を前記カム部と係合カム部とによる閉塞回動付勢力に抗して前記所定開放角度位置Ｐ２よりも開放方向に手動で回動させた際、カム部若しくは係合カム部から係止体が係脱し得る係止力に構成されていることを特徴とするヒンジ装置。
【請求項７】
第一部材と第二部材とを開閉回動自在に枢着するヒンジ装置であって、第一部材に回り止め状態に連結される第一連結体と、この第一連結体に相対回動自在に連結され、第二部材に回り止め状態に連結される第二連結体とから成り、この第一連結体，第二連結体のいずれか一方にカム部を設け、他方にこのカム部に係合する係合カム部を設け、このカム部，係合カム部の少なくとも一方を係合離反方向にスライド移動自在に設けると共に、このカム部，係合カム部の少なくとも一方を係合方向に付勢する係合付勢体を備えて、第一部材に対して重合閉塞状態の第二部材を開放させた際、重合閉塞位置Ｐ１から開放方向に回動させた所定開放角度位置Ｐ２までの回動域Ａ１においては、前記係合付勢体に付勢されてカム部と係合カム部とが落ち込み係合しようとすることで、第一部材に対して第二部材を重合閉塞位置Ｐ１まで自動閉塞させる閉塞回動付勢作用が生じるように構成するとともに、カム部，係合カム部の少なくとも一方を回動方向に付勢する回動付勢体とを備えて、第一部材に対して第二部材を前記所定開放角度位置Ｐ２よりも開放方向に手動で回動させた際、前記回動付勢体に付勢されてカム部と係合カム部とが係脱せずに係合状態のまま共同回動することで、第一部材に対して第二部材を所定開放角度位置Ｐ３まで自動開放させる開放回動付勢作用が生じるように構成されており、この第一部材に対して第二部材を開放させた位置から閉塞方向に回動させた前記所定開放角度位置Ｐ２までの回動域Ａ２においては、カム部と係合カム部とは係脱して係合付勢体の付勢によりカム部の頂部と係合カム部との頂部とで突合せ摩擦抵抗が生じることで、第一部材に対して第二部材を任意の開放角度位置で保持するフリーストップ作用が生じるように構成されており、前記カム部若しくは係合カム部に係脱自在に係止し得る係止体を前記第一連結体，第二連結体のいずれか一方に回り止め状態に設けて、この係止体がカム部若しくは係合カム部に係止した状態では、前記回動付勢体によるカム部と係合カム部との共同回動が阻止されるように構成するとともに、この係止体がカム部若しくは係合カム部から係脱した際、回動付勢体によりカム部と係合カム部との共同回動が許容されるように構成し、このカム部若しくは係合カム部に対する係止体の係止力は、前記回動付勢体の付勢力によってはカム部若しくは係合カム部から係止体は係脱せず、前記第一部材に対して第二部材を前記カム部と係合カム部とによる閉塞回動付勢力に抗して前記所定開放角度位置Ｐ２よりも開放方向に手動で回動させた際、カム部若しくは係合カム部から係止体が係脱し得る係止力に構成されていることを特徴とするヒンジ装置。
【請求項８】
前記係止体を嵌挿係止し得る係止凹部を前記カム部若しくは係合カム部に設け、この係止凹部に嵌挿する係止体の嵌挿部にテーパー面を形成することで、この係止凹部に対する係止体の係止力は、第一部材に対して第二部材を前記カム部と係合カム部とによる閉塞回動付勢力に抗して前記所定開放角度位置Ｐ２よりも開放方向に手動で回動させた際、カム部若しくは係合カム部から係止体が係脱し得る係止力に構成されていることを特徴とする請求項６，７のいずれか１項に記載のヒンジ装置。
【請求項９】
請求項１〜８いずれか１項に記載のヒンジ装置を枢着部に設けたことを特徴とするヒンジ装置を用いた電子機器。
【発明の詳細な説明】
【０００１】
【発明の属する技術分野】
本発明は、ヒンジ装置並びにヒンジ装置を用いた電子機器に関するものである。
【０００２】
【従来の技術及び発明が解決しようとする課題】
例えば、携帯式電子機器の典型例としての携帯式電話機においては、携帯式電話機本体（本体部と重合部）を折り畳み自在に設けられた折り畳みタイプがある。
【０００３】
この折り畳みタイプは、スイッチの誤作動防止、折り畳み時におけるコンパクト化（ディスプレイの面積の確保）、デザインの多様性などの点において人気がある。
【０００４】
従って、この折り畳みタイプの携帯式電話機について益々注目が集まる中、より一層実用性の高いものの提案が望まれている。
【０００５】
本出願人は、前述したヒンジ装置に更なる実験・研究を重ね、より一層商品価値の高い画期的なヒンジ装置並びにヒンジ装置を用いた電子機器を開発した。
【０００６】
【課題を解決するための手段】
添付図面を参照して本発明の要旨を説明する。
【０００７】
第一部材１と第二部材２とを開閉回動自在に枢着するヒンジ装置であって、第一部材１に対して重合閉塞状態の第二部材２を開放させた際、重合閉塞位置Ｐ１から開放方向に回動させた所定開放角度位置Ｐ２までの回動域Ａ１においては、第一部材１に対して第二部材２を重合閉塞位置Ｐ１まで自動閉塞させる閉塞回動付勢作用が生じるように構成され、第一部材１に対して第二部材２を前記所定開放角度位置Ｐ２よりも開放方向に手動で回動させた際、第一部材１に対して第二部材２を所定開放角度位置Ｐ３まで自動開放させる開放回動付勢作用が生じるように構成されていることを特徴とするヒンジ装置に係るものである。
【０００８】
また、第一部材１と第二部材２とを開閉回動自在に枢着するヒンジ装置であって、第一部材１に対して重合閉塞状態の第二部材２を開放させた際、重合閉塞位置Ｐ１から開放方向に回動させた所定開放角度位置Ｐ２までの回動域Ａ１においては、第一部材１に対して第二部材２を重合閉塞位置Ｐ１まで自動閉塞させる閉塞回動付勢作用が生じるように構成され、第一部材１に対して第二部材２を前記所定開放角度位置Ｐ２よりも開放方向に手動で回動させた際、第一部材１に対して第二部材２を所定開放角度位置Ｐ３まで自動開放させる開放回動付勢作用が生じるように構成され、この第一部材１に対して第二部材２を開放させた位置から閉塞方向に回動させた前記所定開放角度位置Ｐ２までの回動域Ａ２においては、第一部材１に対して第二部材２を任意の開放角度位置で保持するフリーストップ作用が生じるように構成されていることを特徴とするヒンジ装置に係るものである。
【０００９】
また、第一部材１と第二部材２とを開閉回動自在に枢着するヒンジ装置であって、第一部材１に回り止め状態に連結される第一連結体３と、この第一連結体３に相対回動自在に連結され、第二部材２に回り止め状態に連結される第二連結体４とから成り、前記第一部材１に対して重合閉塞状態の第二部材２を開放させた際、重合閉塞位置Ｐ１から開放方向に回動させた所定開放角度位置Ｐ２までの回動域Ａ１においては、第一部材１に対して第二部材２を重合閉塞位置Ｐ１まで自動閉塞させる閉塞回動付勢作用が生じる閉塞構造部５を設けるとともに、前記第一部材１に対して第二部材２を前記所定開放角度位置Ｐ２よりも開放方向に手動で回動させた際、前記閉塞構造部５を回動方向に付勢することで、第一部材１に対して第二部材２を所定開放角度位置Ｐ３まで自動開放させる開放回動付勢作用が生じる開放構造部６を設け、前記閉塞構造部５に係脱自在に係止して前記開放構造部６による閉塞構造部５の開放方向への回動を阻止する回動阻止構造部７を設け、この閉塞構造部５に対する回動阻止構造部７の係止力は、前記開放構造部６の開放回動付勢力によっては閉塞構造部５から回動阻止構造部７は係脱せず、前記第一部材１に対して第二部材２を前記閉塞構造部５による閉塞回動付勢力に抗して前記所定開放角度位置Ｐ２よりも開放方向に手動で回動させた際、閉塞構造部５から回動阻止構造部７が係脱し得る係止力に構成されていることを特徴とするヒンジ装置に係るものである。
【００１０】
また、第一部材１と第二部材２とを開閉回動自在に枢着するヒンジ装置であって、第一部材１に回り止め状態に連結される第一連結体３と、この第一連結体３に相対回動自在に連結され、第二部材２に回り止め状態に連結される第二連結体４とから成り、前記第一部材１に対して重合閉塞状態の第二部材２を開放させた際、重合閉塞位置Ｐ１から開放方向に回動させた所定開放角度位置Ｐ２までの回動域Ａ１においては、第一部材１に対して第二部材２を重合閉塞位置Ｐ１まで自動閉塞させる閉塞回動付勢作用が生じる閉塞構造部５を設けるとともに、前記第一部材１に対して第二部材２を前記所定開放角度位置Ｐ２よりも開放方向に手動で回動させた際、前記閉塞構造部５を回動方向に付勢することで、第一部材１に対して第二部材２を所定開放角度位置Ｐ３まで自動開放させる開放回動付勢作用が生じる開放構造部６を設け、前記閉塞構造部５に係脱自在に係止し得る係止体８を前記第一連結体３，第二連結体４のいずれか一方に回り止め状態に設けて、この係止体８が閉塞構造部５に係止した状態では、前記開放構造部６による閉塞構造部５の回動が阻止されるように構成するとともに、この係止体８が閉塞構造部５から係脱した際、開放構造部６により閉塞構造部５の回動が許容されるように構成し、この閉塞構造部５に対する係止体８の係止力は、前記開放構造部６の付勢力によっては閉塞構造部５から係止体８は係脱せず、前記第一部材１に対して第二部材２を前記閉塞構造部５による閉塞回動付勢力に抗して前記所定開放角度位置Ｐ２よりも開放方向に手動で回動させた際、閉塞構造部５から係止体８が係脱し得る係止力に構成されていることを特徴とするヒンジ装置に係るものである。
【００１１】
また、前記係止体８を嵌挿係止し得る係止凹部９を前記閉塞構造部５に設け、この係止凹部９に嵌挿する係止体８の嵌挿部にテーパー面８ａを形成することで、この係止凹部９に対する係止体８の係止力は、第一部材１に対して第二部材２を前記閉塞構造部５による閉塞回動付勢力に抗して前記所定開放角度位置Ｐ２よりも開放方向に手動で回動させた際、閉塞構造部５から係止体８が係脱し得る係止力に構成されていることを特徴とする請求項４記載のヒンジ装置に係るものである。
【００１２】
また、第一部材１と第二部材２とを開閉回動自在に枢着するヒンジ装置であって、第一部材１に回り止め状態に連結される第一連結体３と、この第一連結体３に相対回動自在に連結され、第二部材２に回り止め状態に連結される第二連結体４とから成り、この第一連結体３，第二連結体４のいずれか一方にカム部１０を設け、他方にこのカム部１０に係合する係合カム部１１を設け、このカム部１０，係合カム部１１の少なくとも一方を係合離反方向にスライド移動自在に設けると共に、このカム部１０，係合カム部１１の少なくとも一方を係合方向に付勢する係合付勢体１２を備えて、第一部材１に対して重合閉塞状態の第二部材２を開放させた際、重合閉塞位置Ｐ１から開放方向に回動させた所定開放角度位置Ｐ２までの回動域Ａ１においては、前記係合付勢体１２に付勢されてカム部１０と係合カム部１１とが落ち込み係合しようとすることで、第一部材１に対して第二部材２を重合閉塞位置Ｐ１まで自動閉塞させる閉塞回動付勢作用が生じるように構成するとともに、カム部１０，係合カム部１１の少なくとも一方を回動方向に付勢する回動付勢体１３を備えて、第一部材１に対して第二部材２を前記所定開放角度位置Ｐ２よりも開放方向に手動で回動させた際、前記回動付勢体１３に付勢されてカム部１０と係合カム部１１とが係脱せずに係合状態のまま共同回動することで、第一部材１に対して第二部材２を所定開放角度位置Ｐ３まで自動開放させる開放回動付勢作用が生じるように構成されており、前記カム部１０若しくは係合カム部１１に係脱自在に係止し得る係止体８を前記第一連結体３，第二連結体４のいずれか一方に回り止め状態に設けて、この係止体８がカム部１０若しくは係合カム部１１に係止した状態では、前記回動付勢体１３によるカム部１０と係合カム部１１との共同回動が阻止されるように構成するとともに、この係止体８がカム部１０若しくは係合カム部１１から係脱した際、回動付勢体１３によるカム部１０と係合カム部１１との共同回動が許容されるように構成し、このカム部１０若しくは係合カム部１１に対する係止体８の係止力は、前記回動付勢体１３の付勢力によってはカム部１０若しくは係合カム部１１から係止体８は係脱せず、前記第一部材１に対して第二部材２を前記カム部１０と係合カム部１１とによる閉塞回動付勢力に抗して前記所定開放角度位置Ｐ２よりも開放方向に手動で回動させた際、カム部１０若しくは係合カム部１１から係止体８が係脱し得る係止力に構成されていることを特徴とするヒンジ装置に係るものである。
【００１３】
また、第一部材１と第二部材２とを開閉回動自在に枢着するヒンジ装置であって、第一部材１に回り止め状態に連結される第一連結体３と、この第一連結体３に相対回動自在に連結され、第二部材２に回り止め状態に連結される第二連結体４とから成り、この第一連結体３，第二連結体４のいずれか一方にカム部１０を設け、他方にこのカム部１０に係合する係合カム部１１を設け、このカム部１０，係合カム部１１の少なくとも一方を係合離反方向にスライド移動自在に設けると共に、このカム部１０，係合カム部１１の少なくとも一方を係合方向に付勢する係合付勢体１２を備えて、第一部材１に対して重合閉塞状態の第二部材２を開放させた際、重合閉塞位置Ｐ１から開放方向に回動させた所定開放角度位置Ｐ２までの回動域Ａ１においては、前記係合付勢体１２に付勢されてカム部１０と係合カム部１１とが落ち込み係合しようとすることで、第一部材１に対して第二部材２を重合閉塞位置Ｐ１まで自動閉塞させる閉塞回動付勢作用が生じるように構成するとともに、カム部１０，係合カム部１１の少なくとも一方を回動方向に付勢する回動付勢体１３とを備えて、第一部材１に対して第二部材２を前記所定開放角度位置Ｐ２よりも開放方向に手動で回動させた際、前記回動付勢体１３に付勢されてカム部１０と係合カム部１１とが係脱せずに係合状態のまま共同回動することで、第一部材１に対して第二部材２を所定開放角度位置Ｐ３まで自動開放させる開放回動付勢作用が生じるように構成されており、この第一部材１に対して第二部材２を開放させた位置から閉塞方向に回動させた前記所定開放角度位置Ｐ２までの回動域Ａ２においては、カム部１０と係合カム部１１とは係脱して係合付勢体１２の付勢によりカム部１０の頂部と係合カム部１１との頂部とで突合せ摩擦抵抗が生じることで、第一部材１に対して第二部材２を任意の開放角度位置で保持するフリーストップ作用が生じるように構成されており、前記カム部１０若しくは係合カム部１１に係脱自在に係止し得る係止体８を前記第一連結体３，第二連結体４のいずれか一方に回り止め状態に設けて、この係止体８がカム部１０若しくは係合カム部１１に係止した状態では、前記回動付勢体１３によるカム部１０と係合カム部１１との共同回動が阻止されるように構成するとともに、この係止体８がカム部１０若しくは係合カム部１１から係脱した際、回動付勢体１３によりカム部１０と係合カム部１１との共同回動が許容されるように構成し、このカム部１０若しくは係合カム部１１に対する係止体８の係止力は、前記回動付勢体１３の付勢力によってはカム部１０若しくは係合カム部１１から係止体８は係脱せず、前記第一部材１に対して第二部材２を前記カム部１０と係合カム部１１とによる閉塞回動付勢力に抗して前記所定開放角度位置Ｐ２よりも開放方向に手動で回動させた際、カム部１０若しくは係合カム部１１から係止体８が係脱し得る係止力に構成されていることを特徴とするヒンジ装置に係るものである。
【００１４】
また、前記係止体８を嵌挿係止し得る係止凹部９を前記カム部１０若しくは係合カム部１１に設け、この係止凹部９に嵌挿する係止体８の嵌挿部にテーパー面８ａを形成することで、この係止凹部９に対する係止体８の係止力は、第一部材１に対して第二部材２を前記カム部１０と係合カム部１１とによる閉塞回動付勢力に抗して前記所定開放角度位置Ｐ２よりも開放方向に手動で回動させた際、カム部１０若しくは係合カム部１１から係止体８が係脱し得る係止力に構成されていることを特徴とする請求項６，７のいずれか１項に記載のヒンジ装置に係るものである。
【００１５】
また、請求項１〜８いずれか１項に記載のヒンジ装置を枢着部に設けたことを特徴とするヒンジ装置を用いた電子機器に係るものである。
【００１６】
【発明の実施の形態】
好適と考える本発明の実施の形態（発明をどのように実施するか）を、図面に基づいてその作用効果を示して簡単に説明する。
【００１７】
本発明は、第一部材１に対して重合閉塞状態の第二部材２を開放させた際、重合閉塞位置Ｐ１から開放方向に回動させた所定開放角度位置Ｐ２までの回動域Ａ１においては、第一部材１に対して第二部材２を重合閉塞位置Ｐ１まで自動閉塞させる閉塞回動付勢作用が生じ、また、第一部材１に対して第二部材２を前記所定開放角度位置Ｐ２よりも開放方向に手動で回動させた際、第一部材１に対して第二部材２を所定開放角度位置Ｐ３まで自動開放させる開放回動付勢作用が生じることになる。
【００１８】
即ち、第一部材１に対して第二部材２を所定開放角度位置Ｐ２よりも開放方向に手動で回動させると、第二部材２は所定開放角度位置Ｐ３まで自動開放することになる。
【００１９】
従って、本発明に係るヒンジ装置を、例えば前述した本体部と重合部とを枢着連結して成る折り畳みタイプの携帯式電子機器に適用した場合、使用する際、例えば電話機を持つ手で本体部と重合部との間に指を入れることで、本体部に対して重合部を開放方向に回動させると、重合部は開放回動付勢作用により自動開放することになるなど、重合部の開放操作が簡易且つ迅速に行えることになり極めて実用的である。
【００２０】
また、第一部材１に対して第二部材２を開放させた位置から閉塞方向に回動させた前記所定開放角度位置Ｐ２までの回動域Ａ２においては、第一部材１に対して第二部材２を任意の開放角度位置で保持するフリーストップ作用が生じるように構成した場合には、第一部材１に対して第二部材２を使い易い所望の角度で停止させて使用することが出来ることになり、より一層実用的である。
【００２１】
【実施例】
本発明の具体的な実施例について図面に基づいて説明する。
【００２２】
本実施例は、図１に示すように折り畳みタイプの携帯電話機に適用した場合を示したもので、操作部１４を備えた本体部を第一部材１とし、表示画面１５を備えた重合部を第二部材２とし、第一部材１と第二部材２とが重合した閉塞状態から第二部材２を例えば１２０度まで回動した開放状態（通話状態）とすることができる枢着構造に本発明のヒンジ装置Ｈを適用している。
【００２３】
そして、第一部材１に対して重合閉塞状態の第二部材２を開放させた際、重合閉塞位置Ｐ１から開放方向に回動させた所定開放角度位置Ｐ２までの回動域Ａ１においては、第一部材１に対して第二部材２を重合閉塞位置Ｐ１まで自動閉塞させる閉塞回動付勢作用が生じ（図１５参照）、第一部材１に対して第二部材２を前記所定開放角度位置Ｐ２よりも開放方向に手動で回動させた際、第一部材１に対して第二部材２を一挙に所定開放角度位置Ｐ３（最大開放角度位置）まで自動開放させる開放回動付勢作用が生じ、しかも、この第一部材１に対して第二部材２を開放させた位置から閉塞方向に回動させた前記所定開放角度位置Ｐ２までの回動域Ａ２においては、この第二部材２から手を離すと、その離した位置で第二部材２は停止し、ふらつくことがないフリーストップ状態を実現した構成としている（図１６参照）。
【００２４】
具体的には、本実施例では、第一部材１の基部に取付孔１ａを設け、第二部材２の基部にもこの取付孔１ａと連通状態に隣接する取付孔２ａを設け、この夫々の取付孔１ａ，２ａに軸状パーツとして構成した本発明のヒンジ装置Ｈを装着する構成としている。
【００２５】
本体部１（第一部材）には、前記取付孔１ａを解して回り止め形状とした第一連結体３の一部を構成する連結部としてのケーシング１６を固定し、このケーシング１６の一端側に露出状態で配される部材を第二連結体４の一部を構成する取付部１７として取付孔２ａを介して重合部２（第二部材）に回り止め状態に固定している。このケーシング１６は、図示したように断面八角形状としているが、これは本体部１に対する堅固な回り止め固定を達成するための構成であると共に、この回り止め構造を備えながら内部に効率よく部品を収納し得る形状としての八角形状を採用している。
【００２６】
また、前記取付部１７の内孔１７ａには先端部にカム部１０が設けられた第二連結体４を構成する軸状部材１８が回り止め状態で設けられている。
【００２７】
この第二連結体４に係る軸状部材１８は、先端部のカム部１０が第一連結体３に係るケーシング１６内に配される構成としている。
【００２８】
第一連結体３に係るケーシング１６の他端側には閉塞部材１９が配設され、更に、ケーシング１６内には、前記第二連結体４に係るカム部１０と対向し、互いに凹凸係合する係合カム部１１を有する係合部材２０が設けられており、この係合部材２０は、ケーシング１６内に回動自在に設けると共に、ケーシング１６内を係合離反方向にスライド移動自在に設けられている。
【００２９】
この係合カム部１１を有する係合部材２０と閉塞部材１９との間のケーシング１６内には、係合方向に付勢するコイルバネ１２を係合付勢体１２として設けている。
【００３０】
この係合付勢体１２により、本体部１に対して重合閉塞状態の重合部２を開放させた際、重合閉塞位置Ｐ１から開放方向に回動させた所定開放角度位置Ｐ２までの回動域Ａ１においては、係合付勢体１２に付勢されてカム部１０と係合カム部１１とが落ち込み係合しようとすることで、本体部１に対して重合部２を重合閉塞位置Ｐ１まで自動閉塞させる閉塞回動付勢作用が生じるように構成されている（これが、請求項で言う閉塞構造部５である。）。
【００３１】
一方、カム部１０を有する軸状部材１８には、トルクバネ１３を回動付勢体１３として設けており、この回動付勢体１３の他端部はケーシング１６内に回り止め状態で配設される連結部材２１に連結されており、よって、回動付勢体１３がケーシング１６を回動させようとする付勢力が、ケーシング１６を固定した状態とすることにより、今度は軸状部材１８（カム部１０）を回動させる付勢力として機能するように構成されている。
【００３２】
この回動付勢体１３により、本体部１に対して重合部２を所定開放角度位置Ｐ２よりも開放方向に手動で回動させた際、回動付勢体１３に付勢されて閉塞構造部５としてのカム部１０と係合カム部１１とが係脱せずに係合状態のまま共同回動することで、本体部１に対して重合部２を所定開放角度位置Ｐ３まで自動開放させる開放回動付勢作用が生じるように構成されている（これが、請求項で言う開閉構造部６である。）。
【００３３】
また、係合カム部１１は、１８０度対称位置にＶ字状の凹部を形成し、この凹部を前記カム部１０が係合する係合部分とし、係脱状態となる領域ではこの凹部間の頂部（先端面部）にカム部１０の頂部（先端面部）が係合付勢体１２による押圧力により圧接する構成としている。
【００３４】
本実施例では、このカム部１０の頂部と係合カム部１１の頂部との摩擦抵抗が高くなる摩擦抵抗増大手段を設けて、このカム部１０の頂部と係合カム部１１の頂部とが突合せ当接した際には、係合付勢体１２による押圧力と摩擦抵抗増大手段とによる回動抵抗の増大によって回動付勢体１３の回動付勢が作用していても手で動かさない限り停止保持されるように構成している。
【００３５】
つまり、カム部１０の頂部と係合カム部１１の頂部との当接面積を大きく形成することで、係合付勢体１２の付勢力によって押圧当接するこのカム部１０の頂部と係合カム部１１の頂部との摩擦抵抗を高めてフリーストップを実現する摩擦抵抗増大手段を構成している。本実施例では、本体部１に対して重合部２を最大開放させた位置から閉塞方向に回動させた前記所定開放角度位置Ｐ２までの回動域Ａ２において、本体部１に対して重合部２を任意の開放角度位置で保持するフリーストップ作用が生じるように構成している。
【００３６】
具体的に説明すると、係合カム部１１の頂部に、この係合カム部１１の回動方向に長さを有する摺動凸条１１ｂを設け、この摺動凸条１１ｂが嵌合当接する摺動凹溝１０ｂを前記カム部１０に設けることで、このカム部１０の頂部１０ａと係合カム部１１の頂部１１ａとの当接面積を大きくし、このカム部１０の頂部１０ａと係合カム部１１の頂部１１ａの摩擦抵抗を高めている。
【００３７】
また、本実施例では、係合カム１１の頂部１１ａの略全範囲に、この頂部１１ａの回動方向に長さを有する前記摺動凸条１１ｂを設けて、前記カム部１０が係合カム部１１から係脱してカム部１０の頂部１０ａと係合カム部１１の頂部１１ａとが当接する略全ての回動領域でこの摺動凸条１１ｂが摺動凹溝１０ｂに突き当たり状態で嵌合当接するように構成している。
【００３８】
更に説明すると、図１２に示すように摺動凸条１１ｂは、係合カム部１１の頂部１１ａの内外方向の略中間部に、係合カム部１１の中心を中心とした円弧状に形成することで、係合カム部１１の頂部１１ａの回動方向に長さを有する凸条に構成している。
【００３９】
また、摺動凸条１１ｂと摺動凹溝１０ｂとは、嵌合時に略全面部が当接する凹凸形状に形成し、これによるカム部１０の頂部１０ａと係合カム部１１の頂部１１ａとの当接面積の増大により摩擦抵抗を高めて極めて良好なフリーストップを実現できるようにしている。
【００４０】
即ち、本実施例では、係合カム部１１がカム部１０から係脱して係合カム部１１の頂部１１ａとカム部１０の頂部１０ａとが当接する略全ての回動領域で極めて良好なフリーストップ作動が発揮されるように構成している。
【００４１】
また、本実施例では、前述した閉塞構造部５に係脱自在に係止して開放構造部６による閉塞構造部５の開放方向への回動を阻止する回動阻止構造部７を設けている。
【００４２】
具体的には、この回動阻止構造部７は、係合カム部１１に設けた係合凹部９に係脱自在に嵌挿係止し得る係止体８を第一連結体３を構成するケーシング１６に設けて構成されており、この係止体８は、連結部材２３を介して回り止め状態にして係合離反方向にスライド移動自在に設けると共に、この係合方向に付勢するコイルバネ２２としての係合付勢体２２により係合方向に付勢されている。
【００４３】
また、係止体８は、係合カム部１１に係止した状態では、回動付勢体１３によるカム部１０と係合カム部１１との共同回動が阻止されるように構成するとともに、この係止体８が係合カム部１１から係脱した際、回動付勢体１３によりカム部１０と係合カム部１１との共同回動が許容されるように構成し、このカム部１０若しくは係合カム部１１に対する係止体８の係止力は、回動付勢体１３の付勢力によっては係合カム部１１から係止体８は係脱せず、本体部１に対して重合部２をカム部１０と係合カム部１１とによる閉塞回動付勢力に抗して所定開放角度位置Ｐ２よりも開放方向に手動で回動させた際、カム部１０若しくは係合カム部１１から係止体８が係脱し得る係止力に構成されている。
【００４４】
具体的には、係止体８は、係止凹部９に嵌挿する先端嵌挿部にテーパー面８ａが形成されており、このテーパー面８ａの角度設定により、本体部１に対して重合部２をカム部１０と係合カム部１１とによる閉塞回動付勢力に抗して所定開放角度位置Ｐ２よりも開放方向に手動で回動させた際、係止凹部９から係止体８が係脱し得る係止力に構成されている。
【００４５】
また、本実施例は、係止凹部９の内面９ａにして係止体８のテーパー面８ａが当接する当接面もテーパー面９ａに構成されており、この係止凹部９のテーパー面９ａの角度設定によっても係止凹部９に対する係止体８の係止力を適宜構成されている。
【００４６】
本実施例は上述のように構成したから、本体部１に対して重合閉塞状態の重合部２を開放させた際、重合閉塞位置Ｐ１から開放方向に回動させた所定開放角度位置Ｐ２までの回動域Ａ１においては、本体部１に対して重合部２を重合閉塞位置Ｐ１まで自動閉塞させる閉塞回動付勢作用が生じ、また、本体部１に対して重合部２を所定開放角度位置Ｐ２よりも開放方向に手動で回動させた際、本体部１に対して重合部２を所定開放角度位置Ｐ３まで自動開放させる開放回動付勢作用が生じ、この本体部１に対して重合部２を開放させた位置から閉塞方向に回動させた所定開放角度位置Ｐ２までの回動域Ａ２においては、本体部１に対して重合部２を任意の開放角度位置で保持するフリーストップ作用が生じる。
【００４７】
即ち、本体部１に対して重合部２を所定開放角度位置Ｐ２よりも開放方向に手動で回動させると、重合部２は所定開放角度位置Ｐ３まで自動開放することになり、この所定開放角度位置Ｐ３まで開放状態とした重合部２を閉塞方向へ回動させると所定開放角度位置Ｐ２までの回動域Ａ２においては、常に本体部１に対して重合部２が保持状態となり、所定開放角度位置Ｐ２を過ぎると、重合閉塞位置Ｐ１まで重合部１は自動閉塞することになる。
【００４８】
この際におけるヒンジ装置Ｈの動作について図面を基に説明する。
【００４９】
先ず、本体部１に対して重合部２を開放方向に回動させることで、図１３中矢印ａ方向に第二連結体４を回動させると、カム部１０と係合カム部１１とは係脱しようとしながら共同回動する。この際、カム部１０と係合カム部１１とが完全に係脱するよりも前に係合カム部１１の係止凹部９から係止体８が図１３中矢印ｂ方向に後退しながら完全に係脱し（図１３（ａ），（ｂ）参照）、回動付勢体１３に付勢されてカム部１０と係合カム部１１とは係合状態のまま図１３中矢印ａ方向に共同回動し、その後、再び係合付勢体２２に付勢される係止体８が図１３中ｃ方向に前進して係止凹部９へ嵌挿係止することになる（図１３（ｃ）参照）。
【００５０】
このカム部１０と係合カム部１１とが完全に係脱するまでは、本体部１に対して重合部２を閉塞方向へ付勢する閉塞回動付勢力が生じており、係合カム部１１の係止凹部９から係止体８が完全に係脱した後は、本体部１に対して重合部２を開放方向へ付勢する開放回動付勢力が生じている。
【００５１】
続いて、本体部１に対して重合部２を閉塞方向に回動させることで、図１４中矢印ｄ方向に第二連結体４を回動させると、係合カム部１１は係止体８により係止保持されカム部１０だけが回動する。この際、係合カム部１１及び係止体８が係合付勢体１２（及び係合付勢体２２）に抗して図１４中ｂ方向に後退して、カム部１０と係合カム部１１とが完全に係脱する（図１４（ａ），（ｂ）参照）。その後、更に第二連結体４を図１４中矢印ｄ方向に回動付勢体１３の付勢に抗して回動させ、再びカム部１０と係合カム部１１とが落ち込み係合するまでの間は、カム部１０の頂部１０ａと係合カム部１１の頂部１１ａとの間に摩擦抵抗によるフリーストップ作用が生じ、このフリーストップ領域を過ぎた後は、係合付勢体１２に付勢されてカム部１０と係合カム部１１とが落ち込み係合することで閉塞付勢回動力が生じ、よって、重合部２は本体部１に完全に閉塞状態となる（図１４（ｃ）参照）。
【００５２】
よって、本実施例によれば、使用に際し、例えば電話機を持つ手で本体部１と重合部２との間に指を入れることで、本体部１に対して重合部２を開放方向に回動させると、重合部２は開放回動付勢作用により自動開放することになるなど、重合部２の開放操作が簡易且つ迅速に行えることになり極めて実用的である。
【００５３】
また、本実施例は、本体部１に対して重合部２を開放回動付勢作用により最大限開放させた位置Ｐ３から閉塞方向に回動させた所定開放角度位置Ｐ２までの回動域Ａ２においては、第一部材１に対して第二部材２を任意の開放角度位置で保持するフリーストップ作用が生じるように構成されているから、本体部１に対して重合部２を使い易い所望の角度で停止させて使用することが出来ることになり、より一層実用的である。
【００５４】
尚、本発明は、本実施例に限られるものではなく、各構成要件の具体的構成は適宜設計し得るものである。
【００５５】
【発明の効果】
請求項１記載の発明においては、開放操作が極めて簡易且つ迅速に行えるなど第一部材と第二部材とを枢着連結して成る製品の操作性を飛躍的に向上することができる画期的なヒンジ装置となる。
【００５６】
また、請求項２記載の発明においては、第一部材に対する第二部材の開放操作が簡易且つ迅速に行えることになり、しかも、この第一部材に対する第二部材の開放後には、第二部材を使い易い所望の角度で停止させて使用することが出来ることになるなど極めて商品価値の高い画期的なヒンジ装置となる。
【００５７】
また、請求項３記載の発明においては、閉塞構造部により第一部材に対する第二部材の閉塞状態を保持することができ、また、第一部材に対して第二部材を所定開放角度だけ手動で回動させるだけで、それ以後は、開放構造部により第一部材に対して第二部材を自動開放することができるなど極めて商品価値の高い画期的なヒンジ装置となる。
【００５８】
また、請求項４記載の発明においては、閉塞構造部と開放構造部とが確実に機能するのは勿論、この閉塞構造部と開放構造部夫々の機能が手動による操作により確実に切り替え作動することになるなど極めて商品価値の高い画期的なヒンジ装置となる。
【００５９】
また、請求項５記載の発明においては、閉塞構造部と開放構造部夫々の機能が手動による操作により確実に切り替え作動することになるなど極めて商品価値の高い画期的なヒンジ装置となる。
【００６０】
また、請求項６〜８記載の発明においては、具体的な構造から第一部材と第二部材とを枢着連結して成る製品の操作性を飛躍的に向上することができる画期的なヒンジ装置となる。
【００６１】
また、請求項９記載の発明においては、非常に操作性能の高い極めて商品価値の高い画期的なヒンジ装置を用いた電子機器となる。
【図面の簡単な説明】
【図１】本実施例の使用状態説明図である。
【図２】本実施例を示す斜視図である。
【図３】本実施例に係る要部の説明斜視図である。
【図４】本実施例の分解斜視図である。
【図５】本実施例に係る要部の説明断面図である。
【図６】本実施例に係る要部の説明断面図である。
【図７】本実施例に係る要部の説明図である。
【図８】図７のＡ−Ａ断面図である。
【図９】本実施例に係る要部の端面図である。
【図１０】本実施例に係る要部の説明図である。
【図１１】本実施例に係る要部の分解斜視図である。
【図１２】本実施例に係る要部の説明断面図である。
【図１３】本実施例に係る要部の概略動作説明図である。
【図１４】本実施例に係る要部の概略動作説明図である。
【図１５】本実施例の概略動作説明図である。
【図１６】本実施例の概略動作説明図である。
【符号の説明】
Ａ１  回動域
Ａ２  回動域
Ｐ１  重合閉塞位置
Ｐ２  所定開放角度位置
Ｐ３  所定開放角度位置
１  第一部材
２  第二部材
３  第一連結体
４  第二連結体
５  閉塞構造部
６  開放構造部
７  回動阻止構造部
８  係止体
９  係止凹部
１０  カム部
１１  係合カム部
１２  係合付勢体
１３  回動付勢体
【図１】
2004232791.tif 000003
【図２】
2004232791.tif 000004
【図３】
2004232791.tif 000005
【図４】
2004232791.tif 000006
【図５】
2004232791.tif 000007
【図６】
2004232791.tif 000008
【図７】
2004232791.tif 000009
【図８】
2004232791.tif 000010
【図９】
2004232791.tif 000011
【図１０】
2004232791.tif 000012
【図１１】
2004232791.tif 000013
【図１２】
2004232791.tif 000014
【図１３】
2004232791.tif 000015
【図１４】
2004232791.tif 000016
【図１５】
2004232791.tif 000017
【図１６】
2004232791.tif 000018